(57)【要約】      （修正有）【課題】デザイン上の制約を最小限としつつ、目視によらずに一方の指輪に対して他方の指輪の周方向の位置合わせをすることができる互いにほぼ同一形状の指輪から成る組合せ指輪を提供する。【解決手段】組合せ指輪１は複数の指輪からなり、各指輪１０、２０が一巻き以上の螺旋状部分１１、２１を具備する。螺旋状部分の隣り合う部分は互いに接触して配置される。複数の指輪の螺旋状部分の螺旋軸線方向における厚さは同一であり、複数の指輪のそれぞれはその螺旋状部分の形状が直径を除いて互いに同一形状となっていると共にその螺旋状部分の両端面１４、１５、２４、２５が螺旋軸線を通って放射方向に延びる放射平面に対して同一角度で傾斜している。【選択図】図１
0003159867.tif 000002
【実用新案登録請求の範囲】
【請求項１】
複数の指輪からなる組合せ指輪であって、各指輪が一巻き以上の螺旋状部分を具備し、該螺旋状部分の隣り合う部分が互いに接触して配置されており、これら複数の指輪のそれぞれはその螺旋状部分の形状が直径を除いて互いに同一形状となっていると共にその螺旋状部分の両端面が螺旋軸線を通って放射方向に延びる放射平面に対して同一角度で傾斜している、組合せ指輪。
【考案の詳細な説明】
【技術分野】
【０００１】
本考案は組合せ指輪に関する。
【背景技術】
【０００２】
一対の指輪のそれぞれにデザインの一部を施し、これら一対の指輪を重ね合わせて配置したときに統一したデザインを呈するように形成されたものが従来から知られている。例えば、特許文献１に記載の一対の指輪では、一方の指輪にハートマークの一部又は文字の一部を施し、他方の指輪にハートマークの残りの一部又は文字の残りの一部を施し、これら一対の指輪を重ね合わせたときにハートマークや文字が表れるように形成されている。
【先行技術文献】
【特許文献】
【０００３】
【特許文献１】実開平６−１２５号公報
【考案の概要】
【考案が解決しようとする課題】
【０００４】
ところで、上記特許文献１に記載したような構成の一対の指輪では、両指輪を重ね合わせたときにこれら指輪に施されたデザインの一部が統一したデザインを呈するようにするためには、これら指輪の周方向の位置決めを目視により行わなければならない。
【０００５】
たとえば、特許文献１に記載の一対の指輪では、一方の指輪に施されたハートマークの一部又は文字の一部と他方の指輪に施されたハートマークの一部又は文字の一部とが合わさってハートマークや文字が表れるように、目視により一方の指輪に対して他方の指輪を周方向に位置合わせしなければならない。
【０００６】
一方、一対の指輪の一方の指輪と他方の指輪を目視によらずに周方向に位置合わせすることができるようにする方法としては、一方の指輪の他方の指輪との接触面上に凸部を設け、他方の指輪の上記一方の指輪との接触面上に上記凸部と相補的な形状の凹部を設け、これら凸部及び凹部を互いに嵌め合わせることができるようにすることが考えられる。
【０００７】
しかしながら、この方法を採用した場合、一方の指輪に必ず凸部を設けなければならず、また他方の指輪に必ず凹部を設けなければならないことから、デザイン上の制約となってしまうばかりか、両指輪をほぼ同一の形状とするのが困難となってしまう。
【０００８】
そこで、本考案の目的は、デザイン上の制約を最小限としつつ、目視によらずに一方の指輪に対して他方の指輪の周方向の位置合わせをすることができる互いにほぼ同一形状の指輪から成る組合せ指輪を提供することにある。
【課題を解決するための手段】
【０００９】
上記課題を解決するために、第１の考案では、複数の指輪からなる組合せ指輪であって、各指輪が一巻き以上の螺旋状部分を具備し、該螺旋状部分の隣り合う部分が互いに接触して配置されており、これら複数の指輪のそれぞれはその螺旋状部分の形状が直径を除いて互いに同一形状となっていると共にその螺旋状部分の両端面が螺旋軸線を通って放射方向に延びる放射平面に対して同一角度で傾斜している。
第１の考案によれば、例えば二つの指輪において、一方の指輪を他方の指輪に対して少なくとも一回転させると、その一回転する間に一方の指輪の螺旋状部分の端面と他方の指輪の螺旋状部分の端面とが合わさる。このため、目視によらずに一方の指輪に対して他方の指輪の周方向の位置合わせをすることができる。
また、本考案によれば、複数の指輪のうちの各指輪は一巻き以上の螺旋状とすればよく、よって凸部や凹部を設ける必要がないため、デザイン上の制約を最小限とすることができる。さらに、各指輪の形状は一巻き以上の螺旋状であるため各指輪単体で見たときに斬新な意匠性を提供するばかりか、これら複数の指輪を互いに重ね合わせたときに二巻き以上の螺旋状となるため複数の指輪を重ね合わせたときにも斬新な意匠性を提供することができる。
【００１０】
第２の考案では、第１の考案において、上記複数の指輪の直径は互いに同一である。
第２の考案によれば、複数の指輪の直径が互いに同一であるため、ペアリングとしてのみならず、同一人が複数の指輪を重ねづけすることができる。
【００１１】
第３の考案では、第１又は第２の考案において、上記複数の指輪の少なくとも一つは螺旋状部分の外周面又は端面上に配置された宝石類を具備する。
複数の指輪を重ね合わせたときにはこれら複数の指輪の螺旋状部分の端面同士が合わさることになるが、第３の考案によれば、螺旋状部分の端面上の宝石類を設けた場合、これら指輪が互いに合わさる部分に宝石類が配置されることになる。
【００１２】
第４の考案では、第１〜第３のいずれか一つの考案において、これら複数の指輪をその螺旋状部分の端面同士が合わさるように互いに重ね合わせたときにこれら複数の指輪の外周面上に統一したデザインが表れるように、各指輪の外周面上にはそれぞれ統一したデザインの一部が施されている。
第４の考案によれば、複数の指輪を重ね合わせて使用するときに、目視によらずに、各指輪の外周面上に施されたデザインの一部が合わさって統一したデザインが表れるように、一方の指輪に対して他方の指輪の周方向の位置合わせをすることができる。
【００１３】
第５の考案では、第１〜第４の考案において、当該組合せ指輪は一対の指輪からなる。
第５の考案によれば、組合せ指輪が一対の指輪からなるため、ペアリングやマリッジリングとして用いることができる。
【図面の簡単な説明】
【００１４】
【図１】本考案に係る組合せ指輪の斜視図である。
【図２】各指輪の側面図である。
【図３】各指輪の正面図である。
【図４】各指輪の平面図である。
【図５】一対の指輪を重ね合わせたときの斜視図である。
【図６】一対の指輪を重ね合わせたときの正面図である。
【図７】一対の指輪を重ね合わせたときの図５とは別の方向から見た斜視図である。
【図８】一対の指輪を重ね合わせたときの背面図である。
【考案を実施するための形態】
【００１５】
以下、図面を参照して本考案の実施形態について詳細に説明する。なお、以下の説明では、同様な構成要素には同一の参照番号を付す。
【００１６】
まず、図１〜図４を参照して、本考案に係る組合せ指輪の形状について説明する。なお、図１は本考案に係る組合せ指輪の概略斜視図であり、図２、図３及び図４はそれぞれ組合せ指輪のうちの各指輪の側面図、正面図及び平面図である。特に、図２は図３及び図４のラインＩＩ−ＩＩから見た側面図であり、図３は図２及び図４のラインＩＩＩ−ＩＩＩから見た正面図であり、図４は図２及び図３のラインＩＶ−ＩＶから見た平面図である。
【００１７】
図１からわかるように、組合せ指輪１は一対の指輪１０及び２０からなり、各指輪１０及び２０はそれぞれ一巻き以上の螺旋状部分１１及び２１を具備する。螺旋状部分１１、２１は、図２〜４に示した螺旋軸線Ｘ回りの螺旋状となっている。螺旋状部分１１の螺旋軸線Ｘ方向の厚さｄは図２に示したようにその全周に亘って一定とされる。また、螺旋状部分１１、２１は、螺旋状部分１１、２１内を周方向に延びる軸線Ｙが全周に亘って螺旋軸線Ｘに垂直な平面Ａに対して一定角度θとなるように傾斜して延びるように形成される。換言すると、螺旋状部分１１、２１は、一周旋回する間に螺旋状部分１１の厚さｄ分だけ偏心するように一定角度θが付けられる。また、図１及び図３からわかるように、螺旋状部分１１、２１の第一端部１２、２２は螺旋状部分１１、２１の第二端部１３、２３と互いに接触して重なるように形成される。
【００１８】
また、図３に示した正面図において、螺旋状部分１１、２１の第一端面１４、２４は螺旋軸線Ｘを通って放射方向に延びる（放射平面）Ｂに対して角度αで傾斜しており、同様に螺旋状部分１１、２１の第二端面１５、２５も放射平面Ｂに対して角度αで傾斜している。同様に、図４に示した平面図において、螺旋状部分１１、２１の第一端面１４、２４は放射平面Ｂに対して角度βで傾斜しており、同様に螺旋状部分１１、２１の第二端面１５、２５も放射平面Ｂに対して角度βで傾斜している。
【００１９】
さらに、図１〜４に示したように、螺旋状部分１１、２１の第一端面１４、２４上には宝石類１６、２６が配置されている。宝石類１６、２６は、第一端面１４、２４から浮き出ないように埋め込まれて配置されるのが好ましいが、第一端面１４、２４から浮き出るように配置してもよい。
【００２０】
なお、図示した例では、上述したように螺旋状部分１１、２１はその軸線Ｙが全周に亘って螺旋軸線Ｘに垂直な平面Ｚに対して一定角度θで傾斜しているが、必ずしも一定角度θで傾斜している必要はない。例えば、螺旋状部分１１、２１の両端部１２、２２、１３、２３に近接した部分の角度と、螺旋状部分１１、２１のそれ以外の部分の角度とを変更するようにしてもよい。ただし、このような場合であっても、一対の指輪１０、２０の螺旋状部分１１、２１は直径を除いて互いに同一形状となっている必要がある。したがって、一方の指輪１０における螺旋状部分１１の角度θが一周の間に変化する場合には、他方の指輪２０における螺旋状部分２１の角度θも同様に一周の間に変化させる必要がある。
【００２１】
また、図示した例では、螺旋状部分１１、２１は一巻きよりも僅かに大きくなるように（すなわち、一周よりも僅かに大きくなるように）形成され、その結果、螺旋状部分１１、２１の両端部のみが僅かに互いに接触するように重なっている。しかしながら、螺旋状部分１１、２１は一巻き以上で（すなわち、一周以上で）形成されていればよく、例えば二巻きや三巻きとなっていてもよい。ただし、この場合であっても、螺旋状部分１１、２１の互いに隣り合う部分は互いに接触するように配置される。
【００２２】
さらに、図示した例では、螺旋状部分１１、２１の端面１４、１５、２４、２５は図３に示した正面図及び図４に示した平面図においてそれぞれ角度α及び角度βで傾斜している。しかしながら、これら端面１４、１５、２４、２５は図３に示した正面図及び図４に示した平面図の両方において必ずしも傾斜している必要はなく、側面図又は平面図のみにおいて放射平面Ｂに対して傾斜していてもよいし、放射平面Ｂと同一の面であってもよい。ただし、いずれの場合であっても、螺旋状部分１１、２１の第一端面１４、１５と第二端面２４、２５とが放射平面Ｂに対して同一角度で傾斜していることが必要である。
【００２３】
また、図示した例では、螺旋状部分１１、２１の一方の端面１４、２４上には宝石類１６、２６が配置されているが、必ずしもこのように宝石類１６、２６を配置する必要はない。例えば、一方の指輪１０の第一端面１４と、一対の指輪１０、２０を重ね合わせたときにこの第一端面１４と合わさる他方の指輪２０の第二端面２５とに宝石類を配置したり、両端面に宝石類を配置したりしてもよい。さらに、螺旋状部分１１、２１の端面のみならず、螺旋状部分１１、２１の外周面上又は内周面上に宝石類を配置するようにしてもよい。
【００２４】
次に、このようにして形成された組合せ指輪１の一対の指輪１０、２０を重ね合わせて用いた場合について説明する。図５及び図６はそれぞれ一対の指輪を重ね合わせて用いたときの図１及び図３と同様な斜視図及び側面図を示している。
【００２５】
これら一対の指輪１０、２０を重ね合わせて用いた場合には、図５及び図６に示したように一方の指輪１０の螺旋状部分１１の第一端面１４と、他方の指輪２０の螺旋状部分２１の第二端面２５とが合わさるように重ね合わせることができる。特に、本考案では、一対の指輪１０、２０の螺旋状部分１１、２１が直径を除いて互いに同一形状となっていると共に、螺旋状部分１１、２１の第一端面１４、１５と第二端面２４、２５とが放射平面Ｂに対して同一角度で傾斜していることから、第一端面１４と第二端面２５とを隙間無く合わせることができる。このため、これら指輪１０、２０を重ね合わせたときに両指輪１０、２０が連続した二巻き以上の螺旋形状となり、よって複数の指輪を重ね合わせたときに斬新な意匠性が提供される。また、上述したように、各指輪１０、２０の形状が一巻き以上の螺旋形状となるため、各指輪１０、２０単体で見たときにも斬新な意匠性が提供される。したがって、本考案によれば、単体で使用したとき、及びこれらを重ね合わせて使用したときのいずれにおいても斬新な意匠性を提供することができる。
【００２６】
また、本考案によれば、例えばこれら一対の指輪１０、２０を指等に嵌めているときに、一方の指輪１０に対する他方の指輪２０の相対回転位置が図５及び図６に示した位置となっていない場合、すなわち両指輪１０、２０を重ねて配置しているが一方の指輪１０の第一端面１４と他方の指輪２０の第二端面２５とが合わさっていない場合、使用者はこれら指輪１０、２０のうちの一方を少なくとも一回転させる間に、両指輪１０、２０の相対回転位置を図５及び図６に示した位置とすることができ、このような操作は使用者が目視することなく行うことができる。したがって、本考案によれば、目視によらずに一方の指輪１０に対する他方の指輪２０の周方向の位置決めをすることができる。
【００２７】
このことについて、図７及び図８を参照して説明する。例えば、一方の指輪１０に統一したデザイン（図示した例ではＬＩＦＥの文字）の一部１７が施され、他方の指輪２０に統一したデザインの一部２７が施されている場合を考える。この場合、これら指輪１０、２０に施された統一したデザインが表れるようにするためには、指輪１０に対して指輪２０を周方向に位置決めすることが必要である。したがって、例えば、図７及び図８に示した状態から一方の指輪１０又は２０が回転してしまうと、これら指輪１０、２０に施されたデザインの一部１７、２７は分断されてしまい、統一したデザインを表すことができない。本考案によれば、このような状況であっても、使用者は目視によらずに一方の指輪１０に対する他方の指輪２０の周方向の位置決めを行うことができる。
【００２８】
なお、上記例では、組合せ指輪１は二つの指輪１０、２０から形成されているが、必ずしも二つの指輪である必要はなく、組合せ指輪１は三つ以上の指輪から形成されてもよい。また、組合せ指輪１は、各指輪を別人が用いることによって、ペアリングやマリッジリングとして用いることができ、この場合、通常は各指輪の直径は互いに異なるものとなる。一方、組合せ指輪１の各指輪を同一人が用いてもよく、この場合、通常は各指輪の直径は互いに同一のものとなる。
【符号の説明】
【００２９】
１    組合せ指輪
１０、２０    指輪
１１、２１    螺旋状部分
１２、２２    第一端部
１３、２３    第二端部
１４、２４    第一端面
１５、２５    第二端面
Ｘ    螺旋軸線
Ｙ    周方向軸線
Ｚ    平面
【図１】
0003159867.tif 000003
【図２】
0003159867.tif 000004
【図３】
0003159867.tif 000005
【図４】
0003159867.tif 000006
【図５】
0003159867.tif 000007
【図６】
0003159867.tif 000008
【図７】
0003159867.tif 000009
【図８】
0003159867.tif 000010